(57)【要約】      （修正有）【課題】迷光による光学不良であるフレアやゴースト像の発生を抑え、小型で諸収差が充分抑えられた高性能な撮像レンズを提供する。【解決手段】ガラスと樹脂を利用した接合型複合レンズを用いて、樹脂とガラスの屈折率とアッベ数の差を適正に制御することで、大きな入射角を持つ光線が入射した場合の界面反射を制御し、フレアやゴースト像の発生を抑える。以下の（１）から（８）式を満足する撮像レンズ。（１）Ｎ１≦Ｎ２≦Ｎ３（２）０．０８≦Ｎ３−Ｎ１≦０．１５（３）０≦Ｎ２−Ｎ１≦０．１（４）０≦Ｎ３−Ｎ２≦０．１（５）｜υ１−υ２｜≦３０（６）｜υ２−υ３｜≦３２．４８（７）２９．５≦υ１−υ３≦４０（８）υ２≧５０ここで、Ｎ１：物体側樹脂レンズの屈折率、Ｎ２：平行平板ガラスの屈折率、Ｎ３：像側樹脂レンズの屈折率、υ１：物体側樹脂レンズのアッベ数、υ２：平行平板ガラスのアッベ数、υ３：像側樹脂レンズのアッベ数【選択図】図３
2013254210.tif 000002
【特許請求の範囲】
【請求項１】
光学ガラスで形成された平行平板ガラスの物体側面に物体側樹脂レンズ、像面側に像側樹脂レンズが接合された接合型複合レンズを１群とし、前記レンズ群を少なくとも１個以上含み、
前記物体側樹脂レンズは、エネルギー硬化型樹脂で形成された、物体側に凸面を向けた正の屈折力を有する平凸レンズであって、
前記像側樹脂レンズは、エネルギー硬化型樹脂で形成された、像側に凹面を向けた負の屈折力を有する平凹レンズであって、かつ以下の（１）から（８）式を満たすことを特徴とする撮像レンズ。
2013254210.tif 000005
【請求項２】
前記レンズ群に使用される平行平板ガラスが、樹脂レンズ形成前に個片に切り出されたガラスであることを特徴とする、請求項１に記載の撮像レンズ。
【請求項３】
前記レンズ群の樹脂レンズ曲面が非球面であることを特徴とする、請求項１に記載の撮像レンズ。
【請求項４】
前記平行平板ガラスの少なくとも一方の面に、特定の波長を遮断することを目的とする蒸着膜が形成されていることを特徴とする、請求項１に記載の撮像レンズ。
【発明の詳細な説明】
【技術分野】
【０００１】
本発明は、ＣＣＤ型撮像素子やＣＭＯＳ型撮像素子等の固体撮像素子を用いた、小型撮像装置の撮像レンズに関する。
【背景技術】
【０００２】
従来、携帯電話等で使用される撮像レンズは、大量生産及びコストの面から、熱可塑性プラスチックを用いた射出成形法により製造されることが多い。一方で、近年では工程の簡素化やコストダウンに対応するため、レンズモジュールのリフロー工程対応が求められており、特に半田リフロー工程に耐えうる撮像レンズが要請されるようになってきている。この様な要請に対して、熱可塑性樹脂レンズでは半田リフロー工程温度に対応できないことから、様々な手法の耐熱撮像レンズが提案され始めている。
【０００３】
これらの高耐熱レンズの一例として、特許文献１に光学ガラスと耐熱性に優れたＵＶ硬化や熱硬化型樹脂を組み合わせた、ハイブリッドレンズの１種である接合型複合レンズが開示されている。この接合型複合レンズは、耐熱性の課題以外にも、ガラスと樹脂材料の屈折率差を一定値以内に制御することで、接合型複合レンズで問題となる界面反射を解決している。
【０００４】
さらに、回折面を使用することなく、色収差低減を図るために、透明な平行平板の両面に形成されるレンズのアッベ数を所定の値に制御して接合型複合レンズを構成する手法が特許文献２に開示されている。
【先行技術文献】
【特許文献】
【０００５】
【特許文献１】特許３９２６３８０
【特許文献２】特許４２９３２９１
【発明の概要】
【発明が解決しようとする課題】
【０００６】
以上のように、接合型複合レンズは、耐熱性に優れたエネルギー硬化型樹脂とガラスを組み合わせることで、例えば半田リフロー対応のような、樹脂レンズでは適用が困難な場面で使用され始めている。
【０００７】
ガラスレンズは半田リフロー工程の温度では、形状変化や性能劣化を起こさない。しかし、諸収差を低減するために良く用いられる非球面レンズをガラス材料で作成すると非常に高コストとなることが知られている。ガラスの非球面レンズを作成する場合、大量生産が可能な手法として、非球面ガラスモールドという手法が広く行われている。低融点ガラスと金型を用いて非球面ガラスレンズを製造する手法であるが、従来の射出成形法で得られるプラスチックレンズや、ガラスと硬化型樹脂を使用する接合型複合レンズよりも、高コストな手法である。ガラスモールド法は、ガラスの屈伏点以上に加熱された金型上に、体積管理され、目的非球面形状に比較的近い形状を持つ精密プリフォームをセットし、もう一方の金型で押しつぶすことにより両面、あるいは片面に非球面を形成する手法である。体積管理された精密プリフォームが高価である上、高温にさらされる金型の寿命は短く、大量生産を行う場合は、多数の金型を準備する必要がある。このため低コストのレンズを供給することが困難である。
【０００８】
一方で、接合型複合レンズでは非球面部を硬化型樹脂で形成するため、形状の自由度が高く、金型温度はUV硬化型樹脂では室温程度、熱硬化型樹脂でも２００℃程度と、ガラスモールド法の工程温度４００℃以上と比べると、非常に低温の工程となるため、金型の寿命が長い。さらに、工程時間はＵＶ硬化型樹脂では、数秒から2分程度、熱硬化型樹脂でも１分から１０分程度と、ガラスモールド法に比べてタクトが短い。また、耐熱性の高いＵＶ硬化型樹脂や熱硬化型樹脂は、一般的に高価なことが多いが、接合型複合レンズでは球面ガラスや平行平板ガラスを使用するため、樹脂の使用体積が少なくて済む。従って、接合型複合レンズでは、半田リフロー温度に耐えうる耐熱レンズを安価に提供することが可能となる。
【０００９】
一方で、接合型複合レンズではガラスと樹脂の界面で、屈折率差に応じた反射が起きることが知られている。例えば屈折率１．４の樹脂と屈折率１．６のガラスを用いた接合型複合レンズでは、垂直に光線が入射した場合、０．４４％の光線が界面で反射をする。この反射光線は設計上意図されてない光線のため、これらの光線が複数回反射をして撮像素子に入射した場合は、コントラスト低下の原因であるフレアや、明瞭な光点あるいは光の線のように確認されるゴースト像を形成するといった、不良要因となる。これらの界面反射を抑制するためには、ガラスと樹脂の屈折率差を０．１以内に制御することが効果的である。しかし、角度を持った光線が入射するとき、屈折率の高い媒質から低い媒質に入射する場合とその逆では、反射特性が異なる。光線が屈折率の高い媒質から低い媒質に臨界角以上の角度で入射した場合は、光線は屈折をせずに全反射する。一方で、屈折率が低い媒質から高い媒質へ入射した時は、臨界角は存在せず、従って全反射も発生しない。つまり、界面の反射を抑制するためには屈折率の差を０．１以内とする条件だけでは十分ではない。
【００１０】
さらに、接合型複合レンズで使用する樹脂のアッベ数差を大きくすると、色収差の補正が効果的に行える。しかし、一般的に樹脂の屈折率とアッベ数の関係は、線形関係があることが知られており、色収差を補正するためにアッベ数の差を大きくしようとすると、２つの樹脂間の屈折率の差も大きくなる。屈折率差が大きくなると、前述した通りガラスと樹脂の界面反射が増加し、フレアやゴースト像のような光学不良が発生する。従って色収差を補正するために、アッベ数のみに着目するのは光学性能を向上させる技術としては不十分である。
【００１１】
本発明はこのような問題を解決するためになされたものであり、界面反射を抑制でき、かつ諸収差が良く補正された撮像レンズを提供することにある。
【課題を解決するための手段】
【００１２】
以上の問題を解決するため本発明による撮像レンズは、光学ガラスで形成された平行平板ガラスの物体側面に物体側樹脂レンズ、像面側に像側樹脂レンズが接合された接合型複合レンズを１群とし、前記レンズ群を少なくとも１個以上含み、前記物体側樹脂レンズは、エネルギー硬化型樹脂で形成された、物体側に凸面を向けた正の屈折力を有する平凸レンズであって、前記像側樹脂レンズは、エネルギー硬化型樹脂で形成された、像側に凹面を向けた負の屈折力を有する平凹レンズであって、かつ以下の（１）から（８）式を満たすように構成される。
【００１３】
【数１】
2013254210.tif 000003
【００１４】
ここで、光線が高屈折率媒質から低屈折率媒質に進入したときの、入射角度による界面反射率の変化を図１に、低屈折率媒質から高屈折率媒質に侵入したときの入射角度による界面反射率の変化を図２に示す。図1、図２ともに低屈折率媒質として、屈折率１．５の材料、高屈折率媒質として屈折率１．６の材料を例に計算を行っている。図１と２を比較すると、どちらも屈折率差は０．１であるが、角度を持った光線が入射した場合、図１では入射角６５°近傍で、反射率は１０％に達し、７０°付近で反射率が１００％となる。対して、図２では７０°近傍で反射率１０％程度である。この様に、垂直入射では差が発生しないが、角度を持つ入射光線に対して、低屈折率媒質から高屈折率媒質へ進行する光線の方が、全ての角度で反射率は低くなる。ここで、図1と2中に示したS偏光は入射面に対して平行に振動する光である。またP偏光は入射面に対して垂直に振動する光である。
【００１５】
さらに、（２）式を満たすことで、像側樹脂レンズの屈折率を大きくすることが可能となる。屈折率を大きくすることができれば、レンズの屈折力が同じときは曲率半径の値を大きくすることができる。また、屈折率差を大きくすることで、本発明の接合型複合レンズを含む２群構成以上の撮像レンズユニットの場合は、球面収差や像面湾曲を効率良く補正することが可能となる。例えば（１）式と（２）式を満足し、正の屈折力を持つ物体側レンズと負の屈折力を持つ像側レンズとして接合型複合レンズを構成すれば、球面収差の補正に有利となり、負の屈折力を持つ物体側レンズと、正の屈折力を持つ像側レンズとして構成すれば、像面湾曲の補正に有利となる。
【００１６】
これらの式は全て隣り合う媒質同士で定義された関係である。平行平板ガラスを中間におき、物体側樹脂レンズと像側樹脂レンズは直接接触していないので、平行平板ガラスと両者の樹脂の屈折率を（１）から（６）式で制御すれば、像側樹脂レンズの屈折率は物体側樹脂レンズよりも０．２までは大きくすることが可能となり、高屈折率材料を使用して効率良く収差補正が行える。一方で屈折率差が０．０５を下回ると、収差補正の効果が少なくなる。
【００１７】
便宜上、１群のレンズとして説明しているが、２枚以上の複数枚撮像レンズで、本発明の接合型複合レンズが最低１群以上含まれていれば、その効果を実現することが可能となるので、本発明はレンズ枚数に何ら拘束されるものではない。
【００１８】
ここで使用するエネルギー硬化型樹脂は、外部からエネルギーを受けることにより、架橋反応あるいは重合反応が進む材料のことを指す。外部エネルギーとしては、例えば、熱や紫外線、電子線などが挙げられる。この様なエネルギー硬化型樹脂としては、エネルギーのタイプによって、熱硬化型、紫外線硬化型、電子線硬化型などが挙げられ、材料系のタイプとしては、シリコーン系、エポキシ系、アクリル系が一般的に知られている。この様に、エネルギー硬化型樹脂の種類は多岐に渡るが、光学的に充分透明であれば、本発明の樹脂レンズ材料として、使用可能である。ここでの透明との限定は、使用波長範囲で使用に耐えうる程度に、材料の光吸収及び散乱が少ないことを意味する。
【００１９】
色収差は、波長により集光点が異なることにより発生する収差であり、収差の程度は使用する材料の色分散に依存する。色分散が有限の値を持つ限りは、単一材料では色収差を取り除くことは原理的に不可能であるが、色分散の異なる材料を組み合わせ、かつ最適なレンズ曲面形状を取ることで、これらの色収差を効率良く補正することが可能である。色分散は材料固有の値であり、この逆数がアッベ数である。色収差の補正でよく行われるのが、アッベ数の大きい材料、つまり色分散の少ない材料で集光作用を持つレンズを作成し、アッベ数の小さい材料、つまり色分散の大きい材料で発散作用を持つレンズを作成し、発生する正負の色収差を打ち消すという手法である。
【００２０】
本発明では、ガラスと樹脂の接合部分は平面のため、物体側と像側それぞれに配置できるレンズは、平凸レンズか平凹レンズとなる。式（１）、（３）―（６）によって、それぞれの樹脂レンズと平行平板ガラスの屈折率とアッベ数には界面反射を抑制するための制限が設けられているので、物体側から像側に向かって、屈折率が増加する配置となる。アッベ数と屈折率の間には線形関係が存在し、特に樹脂材料の場合は異常分散を示す材料が無いことから、屈折率が高いほどアッベ数が低くなる。従って本発明では（７）式を満たすためには、屈折率が低い材料、つまりアッベ数の高い材料を物体側レンズとし、屈折率が高い、つまりアッベ数が低い材料を像側レンズとして構成しなければならない。色消しの原理からアッベ数の高い材料に正の屈折力を持たせる必要があるので、物体側樹脂レンズは物体側に凸面を向けた平凸レンズとなる。同様に、アッベ数が低い材料に負の屈折力を持たせる必要があるため、像側樹脂レンズは像側に凹面を向けた平凹レンズとなる。この様に構成した接合型複合レンズは、物体側に凸面を向けたメニスカスレンズとなり、２群以上の撮像レンズの最も先頭に位置するレンズに効果的に使うことができる。
【００２１】
アッベ数の差が（７）式の下限以上であれば、効率よく色収差を補正することが可能となる。一方で、アッベ数の差について、上限を設けてあるが、これはこの上限を超えた樹脂材料の組み合わせを選択すると、ガラスと樹脂の屈折率差が（２）式と（３）式の上限を超えるため、界面反射が増加し、本発明の最大の効果である界面反射の抑制が実行できなくなるためである。
【００２２】
また、（８）式は平行平板ガラスのアッベ数に対する条件となる。本発明の色収差の補正は、平行平板ガラスを挟んで配置された２種類の樹脂レンズによって実現される。ここで、平行平板ガラスは両面が平面であるため、屈折力を持たないが、各入射光線がガラス媒質内を通過する距離は、入射角ごとに異なるため、色分散の少ない材料、つまり（８）式を満たすアッベ数の高い材料とすると、色収差補正の効果が維持できる。この式の下限を下回った場合は、２種類の樹脂材料で色収差補正をしても、補正不足となり色収差が残存するため、光学性能が劣化する。
【００２３】
（２）式は、物体側樹脂レンズと像側樹脂レンズの屈折率差を制御する条件である。前述したように、本発明では屈折率差を大きくすることにより、像側樹脂レンズに屈折率の高い樹脂材料を使用することが可能である。特に、色収差補正のために像側樹脂レンズは負の屈折力を持つように設定している。前述したとおり、像側樹脂レンズはガラスと接する面が平面のため、負の屈折力を持たせるためには、空気と接する面の形状は凹面になる。同様に、物体側樹脂レンズの形状は凸面になる。この様な形状を持つレンズ群では、凸面と凹面の屈折率差を大きくとることで、効果的に球面収差を補正することが可能となる。一方で、ペッツバール和を効果的に減少させ、像面湾曲を低減させるための、レンズ形状組み合わせは、高屈折率材料の凸面と低屈折材料の凹面であり前記のようなレンズ形状組み合わせは不利となる。（２）式の条件内にある屈折率差の組み合わせであれば、球面収差補正と像面湾曲補正のバランスをとることが可能である。つまり、（２）式の下限以下では、球面収差を効果的に補正できなくなり、上限以上ではペッツバール和の増大により、像面湾曲を小さくすることが困難になるということである。
【００２４】
前記レンズ群に使用される平行平板ガラスが、樹脂レンズ形成前に個片に切り出されたガラスであると、薄いガラス板を使用して接合型複合レンズを製造することが可能となる。ウェハスケールレンズでは、数インチのガラスウェハに一括してレンズを形成するために、ＵＶ硬化あるいは熱硬化樹脂の硬化収縮によるガラスの破損やソリが発生する。一般的な熱硬化やＵＶ硬化樹脂の硬化収縮率は２%から大きい場合は、１０から１５％にも達することが知られている。
個片のガラス片に１つのレンズを形成する場合、樹脂量が非常に少ないので、硬化収縮が要因のガラスへの応力は少ない。実験的に確かめた数値では、個片ガラスを用いた接合型複合レンズでは、厚みが０．１ｍｍのガラス片でもレンズ群として構成が可能であった。一方で、ウェハスケールレンズの場合は、平行平板ガラスの厚みは０．３ｍｍ程度が限界といわれている。従って、個片ガラスを使用した方が、レンズの厚みを薄くすることが可能であり、フィルター部品等を挿入するのに十分なバックフォーカスを確保した状態で、撮像レンズを小型・低背化することが可能になる。
【００２５】
前記レンズ群の樹脂レンズ曲面を非球面として構成すると、少ないレンズ枚数で効率よく収差補正が行え、高性能な撮像レンズを提供することが可能となる。
【００２６】
本発明の撮像レンズでは、平行平板ガラス上に非球面を有する樹脂レンズを形成する際、非球面金型を用いることが出来る。非球面金型は高精度な非球面加工装置を使用し、加工することができる。射出成形法を用いたプラスチックレンズも、低融点ガラスを使用したガラスモールド法も、非球面を形成する場合は、非球面金型を使用している。本発明の接合型複合レンズも、同様に金型を用いることで、高精度な非球面レンズを形成することが可能である。
【００２７】
前記平行平板ガラスの少なくとも一方の面に、特定の波長を遮断することを目的とする蒸着膜を形成しても良い。
【００２８】
撮像レンズに使用されるＣＣＤやＣＭＯＳ型撮像素子は可視光領域以外にも感度を持つ。たとえば、赤外光線がそのまま撮像素子に入射すると、画質が劣化することが知られている。従って、不要な赤外光線をカットするために、レンズユニット内に赤外線カットフィルターが挿入される。本発明によると、接合型複合レンズに使用する平行平板ガラスのいずれか一方の面に、赤外光線をカットする膜を蒸着にて形成することが可能なので、別に赤外線カットフィルターを準備する必要は無い。従って、部品削減によるコストダウンが可能となる。さらに、フィルター部品を排除することにより、低背化が図れるようになる。
【００２９】
ここで、反射防止膜や赤外線カット膜などの光学薄膜は、干渉原理を利用して特定の波長あるいは波長粋を反射あるいは、反射防止するため、本発明の平行平板ガラスとエネルギー硬化型樹脂の間に、これらの光学薄膜が存在しても使用上問題は無い。
【発明の効果】
【００３０】
本発明の撮像レンズによれば、ガラスと樹脂を利用した接合型複合レンズ用いて、樹脂とガラスの屈折率を適正に制御することで、大きな入射角を持つ光線が入射した場合の界面反射を抑えながら、光学性能を劣化させる諸収差を十分補正し、小型で高性能なレンズ系を実現することができる。
【図面の簡単な説明】
【００３１】
【図１】高屈折率材料から低屈折率材料に入射する、光線角度と反射率の関係である。
【図２】低屈折率材料から高屈折率材料に入射する、光線角度と反射率の関係である。
【図３】本発明の接合型複合レンズ構造断面図である。
【図４】参考例１の撮像レンズユニット光路図である。
【図５Ａ】参考例１の光学設計データである。
【図５Ｂ】参考例１の光学設計データである。
【図６Ａ】参考例１の縦球面収差図である。
【図６Ｂ】参考例１の非点収差図である。
【図６Ｃ】参考例１の歪曲収差図である。
【図７】参考例２の撮像レンズユニット光路図である。
【図８Ａ】参考例２の光学設計データである。
【図８Ｂ】参考例２の光学設計データである。
【図９Ａ】参考例２の縦球面収差図である。
【図９Ｂ】参考例２の非点収差図である。
【図９Ｃ】参考例２の歪曲収差図である。
【図１０】参考例２の倍率色収差図である。
【図１１】実施例１の撮像レンズユニット光路図である。
【図１２Ａ】実施例１の光学設計データである。
【図１２Ｂ】実施例１の光学設計データである。
【図１３Ａ】実施例１の縦球面収差図である。
【図１３Ｂ】実施例１の非点収差図である。
【図１３Ｃ】実施例１の歪曲収差図である。
【図１４】実施例１の倍率色収差図である。
【図１５】参考例１、２、及び実施例１の条件式（２）から（７）の値である。
【発明を実施するための形態】
【００３２】
以下、図を参照して、本発明の実施の形態例について説明する。なお、各図
は、本発明に係る一構成例を図示するものであり、本発明が理解できる程度に各構成要素の断面形状や配置関係等を概略的に示しているに過ぎず、本発明を図示例に限定するものではない。また、以下の説明において、特定の条件等を用いることがあるが、これらの材料および条件は好適例の一つに過ぎず、従って、本発明は何らこれらに限定されるものではない。
【００３３】
図３は本発明の撮像レンズ構成図である。平行平板ガラスの両面にエネルギー硬化型樹脂で形成された物体側樹脂レンズと像側樹脂レンズが接合されている。
【００３４】
ここで、以降の図面について、レンズユニットを挟んで光線入射側を物体側、結像側を像側とするとき、物体側から見て接合型複合レンズ群を構成する最初の物体側レンズを第１樹脂レンズＬ１とし、以降は平行平板ガラスに接合された樹脂レンズについて、順に数字を付すこととする。例えば、図３では、物体側レンズが第１樹脂レンズＬ１となり、像側レンズが第２樹脂レンズＬ２となる。また、平行平板ガラスについても同様に、物体側から見て最初の樹脂レンズが接合されている平行平板ガラスを第１平行平板ガラスＧ１，２つ目を第２平行平板ガラスＧ２と、英字の後ろに数字を付して表現する。よって、Ｌ５という表記は、物体側から平行平板に接合された５番目の樹脂レンズであり、Ｇ３は物体側から数えて３番目の平行平板ガラスということになる。さらに、平行平板ガラスとそれに接合される樹脂レンズで構成される接合型複合レンズ群については、物体側から見て最初の接合型複合レンズ群を第１接合型複合レンズ群ＨＬ１とし、その数に応じて物体側から順に数字を付して示す。つまり、物体側から見て２番目の接合型複合レンズ群であれば、第２接合型複合レンズ群ＨＬ２となる。さらに、単一材料で形成されるレンズについては、単一レンズとして、便宜上接合型複合レンズ群とは区別して扱う。これも物体側から順に第１単一レンズＭＬ１、第２単一レンズＭＬ２のように、数字を付して表現する。
【００３５】
また、図面内の各面を示す符号Ｓｉについては、物体側から見て最初の面を１番目としてＳ１と表記し、像側に向かうに従い１つずつ増加するように符号を付すこととする。ここで、樹脂レンズの平面と平行平板ガラスの接合面は別々の面として取り扱う。つまり、図３の場合、第１樹脂レンズＬ１の平面側の面がＳ２となり、第１平行平板ガラスＧ１の第１樹脂レンズＬ１と接する面がＳ３となる。以降の図について、全て上記の規則に準じて記号や符号を付する。
【００３６】
図４は、第１の参考例におけるレンズユニット構成図である。物体側から順に、入射瞳を決定する唯一の絞りである開口絞りＳｔ、第１樹脂レンズＬ１、第１平行平板ガラスＧ１、第２樹脂レンズＬ２、余分な赤外光線を遮断する赤外線カットフィルターＩＲＣＦ、撮像素子ＩＭＡの順に配置されている。ガラスと樹脂の接合面には界面密着力を強化するために、シランカップリング処理が施されている。シランカップリング剤は樹脂とガラス双方に結合可能な材料で、ハイブリッドレンズでのガラスと樹脂の界面密着力強化に広く利用されている。
【００３７】
また本参考例１の設計データを図５Ａ及び図５Ｂに示す。
このとき、焦点距離ｆ＝1.162mm、レンズ全長TL＝1.659mm、F値F＝3.0、
センサー対角長IH＝1.4mm、対角画角FOV＝60.3°となる。
なお、屈折率はｄ線波長の値を使用している。焦点距離ｆはｄ線基準の値を使用し、レンズ全長ＴＬは第１樹脂レンズの物体側面から、撮像素子面までの光軸に沿って計算された距離、Ｆ値Ｆは撮像レンズの明るさを示す値で、センサー対角長ＩＨは撮像素子の対角長さ、対角画角ＦＯＶは対角長ＩＨの撮像素子を用いたときの、レンズユニットが撮像できる物体側の撮像角度である。また、平面については曲率∞として表記してある。
【００３８】
この発明で使用される非球面は、次の式で与えられる。
【００３９】
【数２】
2013254210.tif 000004
【００４０】
図５A、図５B、図８A、図８B、図１２A、図１２B内で非球面係数を表す数値は指数表示であり、「Ｅ−１」は「１０−１」を意味する。
【００４１】
本参考例１では、Ｌ１に屈折率１．５１３でアッベ数５３のＵＶ硬化型樹脂、第２樹脂レンズに屈折率１．６０２でアッベ数２８のＵＶ硬化型樹脂、平行平板ガラスＧ１にショット社製の屈折率１．５６８でアッベ数５５．９８のＮ−ＢＡＫ４を使用している。樹脂レンズと平行平板ガラスは、物体側から順に屈折率が増加するように配置されており、（１）から（６）式、及び（８）式を満足している（図１５参照）。
【００４２】
図６Ａは参考例１の縦球面収差図、図６Ｂは参考例１の非点収差図、図６Ｃは参考例１の歪曲収差図である。球面収差は入射瞳内において、０．１ｍｍ以内であり非点収差も撮像画角内で０．２ｍｍ以内、歪曲収差も４％以内と、１群構成のレンズとしては、充分に収差が補正されていることがわかる。
【００４３】
図７は、第２の参考例におけるレンズユニット構成図である。物体側から開口絞りＳｔ、第１樹脂レンズＬ１、第１平行平板ガラスＧ１、第２樹脂レンズＬ２で構成された第１接合型複合レンズ群ＨＬ１、第１単一レンズＭＬ１、赤外線カットフィルターＩＲＣＦ、撮像素子ＩＭＡの順に配置されている。
【００４４】
本参考例２の設計データを図８A及び図８Bに示す。
このとき、焦点距離ｆ＝1.542mm、レンズ全長TL＝1.778mm、F値F＝3.0
センサー対角長IH＝1.8mm、対角画角FOV＝60.4°となる。
撮像画角ＦＯＶが６０°以上と広角でかつＦ値Ｆ＝３と、固定焦点の小型撮像レンズとしては十分明るいレンズユニットになっている。さらに、センサーの対角長ＩＨよりも、レンズ全長ＴＬが短くなっており、非常に背の低いレンズユニットとなっている。また、バックフォーカスｂｆが充分確保できているので、背の低いユニットでありながら０．３ｍｍの赤外線カットフィルターＩＲＣＦを撮像素子との間に挿入することが可能となっている。
【００４５】
本参考例２では、第１樹脂レンズＬ１に屈折率１．５１３でアッベ数５３のＵＶ硬化型樹脂、第２樹脂レンズに屈折率１．６０２でアッベ数２８のＵＶ硬化型樹脂、第１平行平板ガラスＧ１にショット社製の屈折率１．５６８でアッベ数５５．９８のＮ−ＢＡＫ４を使用している。樹脂レンズと平行平板ガラスは、物体側から順に屈折率が増加するように配置されており、（１）〜（６）式、及び（８）式を満足している（図１５参照）。さらに、第１接合型複合レンズ群の後方には、熱硬化型樹脂で形成された第１単一レンズＭＬ１が配置されている。
【００４６】
図９Ａは本参考例２の縦球面収差図、図９Ｂは本参考例２の非点収差図、図９Ｃは本参考例２の歪曲収差図である。球面収差は入射瞳内において、０．０２ｍｍ以内であり非点収差も撮像画角内で０．０５ｍｍ以内、歪曲収差も４％以内と、２群構成のレンズとしては充分に収差が補正されていることがわかる。
【００４７】
また、図１０は本参考例２の倍率色収差図である。本参考例２では、接合型複合レンズ群ＨＬ１内でアッベ数の差を利用した色収差補正が試みられている。それぞれの波長と色の関係は、赤が０．６５６３μｍ、緑が０．５８７６μｍ、青が０．４８６１μｍとして図に記載されている。図は緑の波長を基準としたときの青と赤の波長による撮像画角に対する結像点のズレを示している。本参考例２では撮像画角全域について、青と赤のズレは１μｍ以内であり、倍率色収差が良く補正されている。さらに、軸上の色収差も青と赤の波長による差が１５μｍ以内となり、非常によく補正されている。従って撮像素子から得られる画像の色滲みは発生せず、コントラストの良い画像が得られる。
【００４８】
図１１は、本実施例１におけるレンズユニット構成図である。物体側から開口絞りＳｔ、第１樹脂レンズＬ１、第１平行平板ガラスＧ１、第２樹脂レンズＬ２で構成された第１接合型複合レンズ群ＨＬ１、第１単一レンズＭＬ１、第３樹脂レンズＬ３，第２平行平板ガラスＧ２、第４樹脂レンズＬ４で構成された第２接合型複合レンズ群ＨＬ２、赤外線カットフィルターＩＲＣＦ、撮像素子ＩＭＡの順に配置されている。
【００４９】
本実施例１の設計データを図１２A及び図１２Bに示す。
このとき、焦点距離ｆ＝3.502mm、レンズ全長TL＝4.101mm、F値F＝2.8
センサー対角長IH＝4.48mm、対角画角FOV＝65.2°となる。
撮像画角ＦＯＶが６５°以上と広角で、かつＦ値もｆ＝２．８と、固定焦点の小型撮像レンズとしては十分明るいレンズユニットになっている。さらに、センサーの対角長ＩＨよりも、レンズ全長ＴＬが短くなっており、非常に背の低いレンズユニットとなっている。また、バックフォーカスが充分確保できているので、背の低いユニットでありながら０．３ｍｍの赤外線カットフィルターＩＲＣＦを撮像素子との間に挿入することが可能となっている。また、第１平行平板ガラスＧ１は、０．１５ｍｍと非常に薄い平行平板ガラスとなっているが、個片のガラスであれば問題なく接合型複合レンズを形成できる。
【００５０】
本実施例１で、第１接合型複合レンズ群ＨＬ１を構成する材料は、第１樹脂レンズＬ１が屈折率１．５１３でアッベ数５３のＵＶ硬化型樹脂、第２樹脂レンズが屈折率１．６２５でアッベ数２３．５のＵＶ硬化型樹脂、第１平行平板ガラスＧ１がショット社製の屈折率１．５６８でアッベ数５５．９８のＮ−ＢＡＫ４である。また、第２接合型複合レンズ群ＨＬ２を構成する材料は、第３樹脂レンズＬ３が屈折率１．４７でアッベ数が５４．７のＵＶ硬化型樹脂、第４樹脂レンズＬ４が、屈折率１．５２６でアッベ数が５４のＵＶ硬化型樹脂、第２平行平板ガラスが屈折率１．５１６８でアッベ数が６４．１６のショット社製Ｎ−ＢＫ７である。第１単一レンズＭＬ１は屈折率が１．６０２でアッベ数が２８のＵＶ硬化型樹脂を使用している。
【００５１】
第１接合型複合レンズ群ＨＬ１の樹脂レンズと平行平板ガラスは、物体側から順に屈折率が増加するように配置されており、（１）から（８）式を満足している。さらに、第２接合型複合レンズ群ＨＬ２の樹脂レンズと平行平板ガラスも、物体側から順に屈折率が増加するように配置されており、（１）から（６）式、及び（８）式を満足している（図１５参照）。第１接合型複合レンズ群ＨＬ１と第２接合型複合レンズ群ＨＬ２の間には、ＵＶ硬化型樹脂で形成された第１単一レンズＭＬ１が配置されている。
【００５２】
図１３Ａは本実施例１の縦球面収差図、図１３Ｂは本実施例１の非点収差図、図１３Ｃは本実施例１の歪曲収差図である。球面収差は入射瞳内において、０．０５ｍｍ以内であり非点収差も撮像画角内で０．１ｍｍ以内、歪曲収差も１％以内と、３群構成のレンズとしては、充分に収差が補正されている。
【００５３】
また、図１４は本実施例１の倍率色収差図である。一般的な３群構成のレンズでは、２群目のレンズにアッベ数が低い材料を使用することで、色収差補正を行うが、本実施例１では、第１接合型複合レンズ群ＨＬ１の中でも色収差補正を行っているので、一般的な３群構成レンズに比べて、全撮像画角の中で青と赤のズレが０．５μｍ以内と、非常に良好な色収差補正が実現されている。従って撮像素子から得られる画像の色滲みは発生せず、非常にコントラストの良い画像が得られる。
【００５４】
以上のように、本発明で提示した撮像レンズを用いると、角度の大きい光線が入射しても、フレアやゴースト像のような光学不良が発生しづらく、かつ光学特性を悪化させる諸収差が充分補正され、小型で高性能なレンズ系が実現できている。
【符号の説明】
【００５５】
Ｌ１  平行平板に接合された樹脂レンズのうち、物体側から数えて最初の樹脂レンズ
Ｌ２  平行平板に接合された樹脂レンズのうち、物体側から数えて２番目の樹脂レンズ
Ｌ３  平行平板に接合された樹脂レンズのうち、物体側から数えて３番目の樹脂レンズ
Ｌ４  平行平板に接合された樹脂レンズのうち、物体側から数えて４番目の樹脂レンズ
Ｇ１  物体側から数えて最初の平行平板ガラス
Ｇ２  物体側から数えて２番目の平行平板ガラス
ＨＬ１  物体側から数えて最初の接合型複合レンズ群
ＨＬ２  物体側から数えて２番目の接合型複合レンズ群
ＭＬ１  物体側から数えて最初の単一材料で形成されたレンズ
ＩＲＣＦ  赤外線カットフィルター
ＩＭＡ  撮像素子
Ｓ１  物体側から数えて最初の面
Ｓ２  物体側から数えて２番目の面
Ｓ３  物体側から数えて３番目の面
Ｓ４  物体側から数えて４番目の面
Ｓ５  物体側から数えて５番目の面
Ｓ６  物体側から数えて６番目の面
Ｓ７  物体側から数えて７番目の面
Ｓ８  物体側から数えて８番目の面
Ｓ９  物体側から数えて９番目の面
Ｓ１０  物体側から数えて１０番目の面
Ｓ１１  物体側から数えて１１番目の面
Ｓ１２  物体側から数えて１２番目の面
Ｓ１３  物体側から数えて１３番目の面
Ｓ１４  物体側から数えて１４番目の面
Ｓ１５  物体側から数えて１５番目の面
Ｓ１６  物体側から数えて１６番目の面
Ｓ１７  物体側から数えて１７番目の面
Ｓ１８  物体側から数えて１８番目の面
【図１】
2013254210.tif 000006
【図２】
2013254210.tif 000007
【図３】
2013254210.tif 000008
【図４】
2013254210.tif 000009
【図５Ａ】
2013254210.tif 000010
【図５Ｂ】
2013254210.tif 000011
【図６Ａ】
2013254210.tif 000012
【図６Ｂ】
2013254210.tif 000013
【図６Ｃ】
2013254210.tif 000014
【図７】
2013254210.tif 000015
【図８Ａ】
2013254210.tif 000016
【図８Ｂ】
2013254210.tif 000017
【図９Ａ】
2013254210.tif 000018
【図９Ｂ】
2013254210.tif 000019
【図９Ｃ】
2013254210.tif 000020
【図１０】
2013254210.tif 000021
【図１１】
2013254210.tif 000022
【図１２Ａ】
2013254210.tif 000023
【図１２Ｂ】
2013254210.tif 000024
【図１３Ａ】
2013254210.tif 000025
【図１３Ｂ】
2013254210.tif 000026
【図１３Ｃ】
2013254210.tif 000027
【図１４】
2013254210.tif 000028
【図１５】
2013254210.tif 000029